(57)【特許請求の範囲】
【請求項１】
浴槽（３６）と、該浴槽（３６）内に設けられ担架（３３）及び入浴者を載せる架台（４）と、浴槽（３６）内へ気泡を発生させる気泡盤（２）と、圧縮空気を供給するブロア（５）と、ブロア（５）の空気を気泡盤（２）へ導く連通部（６）とからなり、気泡盤（２）の上壁（２ａ）には複数の通気孔（１３）が開設され、気泡盤（２）は架台（４）に載設され、気泡盤（２）内に空気を充満でき気泡盤（２）の掃除がし易いように気泡盤（２）の下部は開放され蓋様のものであることを特徴とする気泡盤付浴槽。
【請求項２】
気泡盤（２）は、該架台（４）に着脱可能に載設されることを特徴とする請求項１記載の気泡盤付浴槽。
【請求項３】
浴槽（３６）は昇降浴槽（３）であり、該昇降浴槽（３）にはその内部に進入・退出する非昇降の架台（４）が設けられ、
気泡盤（２）は前記架台（４）に設けられることを特徴とする請求項１又は２記載の気泡盤付浴槽。
【発明の詳細な説明】
【技術分野】
【０００１】
本発明は、身体障害者や要介護老人等（以下入浴者という）を入浴させる気泡盤付浴槽に関する。
【背景技術】
【０００２】
従来の技術の特許文献１に、浴槽底面、床面、二重底、隙間室、小孔、気泡面、水抜装置等から構成される気泡発生器付浴槽が開示される。
【特許文献１】特開平１１−１６４８６８号公報
【発明の開示】
【発明が解決しようとする課題】
【０００３】
従来技術に係る隙間室には、人手による掃除ができないという難点がある。
【課題を解決するための手段】
【０００４】
本発明の目的は、気泡盤を衛生的に維持でき保守管理を楽にした気泡盤付浴槽を提供することにある。
即ち、本発明は、浴槽（３６）と、該浴槽（３６）内に設けられ担架（３３）及び入浴者を載せる架台（４）と、浴槽（３６）内へ気泡を発生させる気泡盤（２）と、圧縮空気を供給するブロア（５）と、ブロア（５）の空気を気泡盤（２）へ導く連通部（６）とからなり、気泡盤（２）の上壁（２ａ）には複数の通気孔（１３）が開設され、気泡盤（２）は架台（４）に載設され、気泡盤（２）内に空気を充満でき気泡盤（２）の掃除がし易いように気泡盤（２）の下部は開放され蓋様のものであることを特徴とする気泡盤付浴槽である。
更に、気泡盤（２）は、該架台（４）に着脱可能に載設される。
又、浴槽（３６）は昇降浴槽（３）であり、該昇降浴槽（３）にはその内部に進入・退出する非昇降の架台（４）が設けられ、気泡盤（２）は前記架台（４）に設けられる。
【発明の効果】
【０００５】
本発明は、浴槽（３６）と、該浴槽（３６）内に設けられ担架（３３）及び入浴者を載せる架台（４）と、浴槽（３６）内へ気泡を発生させる気泡盤（２）と、圧縮空気を供給するブロア（５）と、ブロア（５）の空気を気泡盤（２）へ導く連通部（６）とからなり、気泡盤（２）の上壁（２ａ）には複数の通気孔（１３）が開設され、気泡盤（２）は架台（４）に載設され、気泡盤（２）内に空気を充満でき気泡盤（２）の掃除がし易いように気泡盤（２）の下部は開放され蓋様のものであるから、気泡盤２を人手で掃除がし易く、保守管理時の操作が容易であり、又、気泡盤２内に水が残留しないので、気泡盤２に病原菌が繁殖することもなく、衛生的であり、安全性が向上し、好都合である。
【０００６】
本発明は、気泡盤（２）は、該架台（４）に着脱可能に載設されるから、気泡盤２を取り外した状態で掃除できるので、気泡盤２を取り付けたまま掃除する場合に比べて、より衛生的で、安全性が向上し、好都合である。
【０００７】
本発明は、浴槽３６を昇降浴槽３とし、該昇降浴槽３の内部に非昇降の架台４が設けられ、該架台４に気泡盤２が設けられるから、掃除の時に、気泡盤２を浴槽３６の上縁よりやや上位の高さにすれば該気泡盤２の取り外しが楽であり、又、一方部材の架台４側は所定高に固定し他方部材の昇降浴槽３側は昇降するので、架台４側に設けられる連通部６の配管が固定的配管でよくその配管作業を行い易く、製造コストを低減でき、好都合である。
【実施例１】
【００１１】
図１、２、３に浴槽３６を昇降浴槽３とした実施例１を示しており、図１は気泡盤２の長手方向の断面図、図２は気泡盤２の平面図、図３は気泡盤付浴槽１の斜視図を示している。
該実施例１は、昇降浴槽３と、非昇降の架台４と、昇降浴槽３内へ気泡を発生させる気泡盤２と、圧縮空気を供給するブロア５と、ブロア５の空気を気泡盤２へ導く連通部６とからなる。
【００１２】
昇降浴槽３は、基枠７と、昇降機構８と、浴槽部９とからなる。
架台４は、架台枠１０と、架台枠１０を頂部に支持し浴槽部９の底壁１１を貫通し基枠７に立設される支柱１２と、架台枠１０に載設される気泡盤２とからなる。架台枠１０の上面には気泡盤２を螺着する雌ネジ台４１が設けられる。
支柱２は浴槽部９の底壁１１に水密に摺動可能に貫通している。支柱１２は中空体であり、連通部６の一部として圧縮空気の通路として使用される。
【００１３】
前記気泡盤２の上壁２ａには複数の通気孔１３が開設され、該気泡盤２はその下部が開放された菓子箱の蓋（＝箱蓋）の様なものである。即ち、平板状の上壁２ａの縁部の全周囲に垂下状の垂下壁４２が設けられる。この垂下壁４２は気泡盤２の周囲から空気が逃げるのを防ぐものである。
【００１４】
前記気泡盤２の上壁２ａの適宜箇所には凹部２ｂが形成されその凹部２ｂ中央に取付穴３７が開設される。
気泡盤２は、連通部６の先端に形成された噴出口１４から噴出される空気を前記通気孔１３から浴槽部９内に移動させ、該浴槽部９内に気泡を発生させるものである。
【００１５】
該取付穴３７にノブボルト１６を通し、このノブボルト１６を架台４に設けられた雌ネジ台４１に螺着し、気泡盤２を架台４に取り付ける。
更に、前記気泡盤２の上壁２ａの適宜箇所には、気泡盤２を掴むための取手穴１５が開設されている。該取手穴１５は操作者が掃除等に際し気泡盤２を外す時に指を差込む穴であり、取手穴１５の開口部には指掛片１５ａが形成される。
【００１６】
ブロア５は外気を取り込みこれを圧縮し、吐出口５ａから吐出する。該ブロア５は気泡スイッチ１７のオン・オフ操作により駆動・停止される。
【００１７】
前記連通部６は、ブロア５の圧縮空気を気泡盤２の下方に導く管路であり、その基端はブロア５の吐出口５ａに繋がれ、その先端は、支柱１２の上部に設けられる噴出口１４である。
噴出口１４は気泡盤２の真下に位置しており、噴出口１４から出た空気は、気泡盤２に入り、更に、気泡盤２の通気孔１３を通過して浴槽内へ気泡を発生させる。
【００１８】
連通部６の途中に、噴出口１４からブロア５に向かって逆流する流体を阻止する逆止弁１８と、連通部６の管径を変更調節し空気流量を調節する流量調節弁１９とが設けられる。
【００１９】
尚、図３中、２０は濾過殺菌スイッチ、２１は音声スイッチ、２２は上昇スイッチ、２３は停止スイッチ、２４は下降スイッチ、２５は湯温度調節器、２６はシャワー用ミキシング、２７はフィルター取出口、２８はシャワーバルブ、２９は湯温注意ランプ、３０はオーバーフロー、３１は肩掛けシャワーノズル、３２はサイドパネル、３８は担架センサー、３９はシャワーノズル、４０はセンターロック表示ランプである。
【００２０】
実施例１を使用する際は、介助者は、脱衣した入浴者を搬送車（図示省略）上の担架３３に乗せ搬送する。前記搬送車を昇降浴槽３に接合し、続いて、担架３３を架台４へ移乗させる。
【００２１】
次に、浴槽部９を上昇させ、架台４を底壁１１へ接近させる。架台４に載った担架３３及び入浴者を浴槽部９内に溜めた湯に浸け、入浴を行なう。介助者は、側壁９ａの外側から入浴者の介助を行なう。
【００２２】
気泡浴を行なう時は、気泡スイッチ１７を投入し、ブロア５を駆動させる。
連通部６で圧縮空気を気泡盤２の真下の噴出口１４へ導き、噴出口１４から圧縮空気を吐出する。
圧縮空気は、気泡盤２の真下に噴き出た後上昇し、下部が開放された気泡盤２内に充満し、通気孔１３から上方へ抜け出る。抜け出た圧縮空気は、浴槽部９内の湯に気泡を作る。
該気泡は上昇し湯面で破裂し、圧縮空気は外気へ放散する。
【００２３】
退浴時は、浴槽部９を下降させ、担架３３及び入浴者を浴槽部５内の湯から出す。担架３３を、架台４から昇降浴槽３に接合掛止している前記搬送車へ移す。
前記搬送車を昇降浴槽３から離し、入浴者を、所望の場所へ搬送し担架３３からベッド（図示省略）等へ降ろし、入浴を終わる。
昇降浴槽３の使用を終了する時は、該昇降浴槽３の湯を全て抜く。気泡盤２の下部は全面的に開放されているから、気泡盤２内に湯は残留しない。
【００２４】
前記気泡盤２を掃除する時或いは保守点検時には、操作者は、浴槽部９を下降させ下限位置へ至らせる。浴槽部９を下降させると架台４及び気泡盤２は浴槽部９内から脱出し浴槽部９の上方外に位置する。
【００２５】
次に、前述の位置にある気泡盤２を止めているノブボルト１６を外し、気泡盤２の取手穴１５に手をあてがい気泡盤２を掴み、該気泡盤２を架台４から離脱させる。気泡盤２を掃除或いは装置の保守点検をする。
【００２６】
前述の作業を終わって該気泡盤２を架台４へ取着する時は、気泡盤２の取手穴１５に手をあてがい、気泡盤２を持って架台４へ載せ、ノブボルト１６で気泡盤２を架台４へ螺着する。
【実施例２】
【００２７】
図４に示す実施例２は、実施例１の気泡盤２に係るノブボルト螺着方式を外嵌圧入方式に代えたものである。
実施例２の外嵌圧入方式は、一方の部材である気泡盤２の上壁２ａに止穴３４が開設され、他方の部材である架台４の雌ネジ台４１にゴム等で作られる圧入止具３５が突設される。
【００２８】
気泡盤２を架台４に取着する時は、架台４に気泡盤２を載せ、前記止穴３４を圧入止具３５に合わせ、気泡盤２を下方向へ押す。
前記止穴３４を圧入止具３５に外嵌圧入して気泡盤２を架台４の所定位置へ掛止する。
気泡盤２を架台４から離脱する時は、気泡盤２を上方向へ引き、止穴３４から圧入された圧入止具３５を抜き外し、気泡盤２を架台４から外す。
【産業上の利用可能性】
【００３０】
浴槽部９内へ気泡を発生させるものであって、人手で掃除をし易く、保守管理時の操作を容易にするために、上壁２ａには複数の通気孔１３を開設し、架台４に載設されて下部が開放された蓋様のものとした気泡盤２に適用できる。
【図面の簡単な説明】
【００３１】
【図１】本発明実施例１の気泡盤の正面断面図である。
【図２】本発明実施例１の気泡盤の平面図である。
【図３】本発明実施例１の斜視図である。
【図４】本発明実施例２の外嵌圧入方式を示す図である。
【符号の説明】
【００３２】
２  気泡盤
２ａ  上壁
２ｂ  凹部
３  昇降浴槽
４  架台
５  ブロア
６  連通部
１１  底壁
１３  通気孔
１５  取手穴
１６  ノブボルト
３４  止穴
３５  圧入止具
３６  浴槽
３７  取付穴
４１  雌ネジ台
【図１】
0004657027.tif 000002
【図２】
0004657027.tif 000003
【図３】
0004657027.tif 000004
【図４】
0004657027.tif 000005